【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
ねじ具と締結を行うインサートまたはスペーサからなる締結具であって、前記締結具の外周壁の一部に所要幅でその周方向へ全面的または部分的に薄肉とする薄肉形成部を設けると共に、この薄肉形成部の少なくとも一部分に外部から押圧成形した凹部を設けて、前記締結具の内周壁における雌ねじの山または谷の径が部分的に縮小した縮径変形部を形成した構成からなることを特徴とするねじ具の緩み止め締結具。
【請求項２】
前記締結具の軸方向に変位させて、前記締結具の外周壁に複数の所要幅でその周方向へ全面的または部分的に薄肉とする薄肉形成部を設けると共に、これらの薄肉形成部の少なくとも一部分にそれぞれ押圧成形した複数の凹部を設けて、前記締結具の内周壁にそれぞれ複数の縮径変形部を形成してなることを特徴とする請求項１記載のねじ具の緩み止め締結具。
【請求項３】
ねじ具と締結を行うインサートまたはスペーサからなる締結具の外周壁の一部において、前記締結具の外部から外周壁の一部に対して、所要幅でその周方向へ全面的または部分的に薄肉とする薄肉形成部と、この薄肉形成部の少なくとも一部分に対し、前記締結具の内周壁における雌ねじの山または谷の径が部分的に縮小変形する凹部とを、それぞれ転造ダイスにより連続的に押圧成形して、前記締結具の内周壁における雌ねじの山または谷の径が部分的に縮小した縮径変形部を形成することを特徴とするねじ具の緩み止め締結具の製造方法。
【請求項４】
ねじ具と締結を行うインサートまたはスペーサからなる締結具の外周壁の一部において、前記締結具の外部から外周壁の一部に対して、所要幅でその周方向へ全面的または部分的に薄肉とする薄肉形成部を切削加工により成形し、この薄肉形成部の少なくとも一部分に対し、前記締結具の内周壁における雌ねじの山または谷の径が部分的に縮小変形するように、外部からポンチ等の押圧手段によって凹部を形成して、前記締結具の内周壁における雌ねじの山または谷の径が部分的に縮小した縮径変形部を形成することを特徴とするねじ具の緩み止め締結具の製造方法。
【請求項５】
ねじ具と締結を行うインサートまたはスペーサからなる締結具を連続的に製造する締結具製造装置と、前記締結具の外部から外周壁の一部に対して、所要幅でその周方向へ全面的または部分的に薄肉とする薄肉形成部を形成すると共に、この薄肉形成部の少なくとも一部分に押圧成形により凹部を形成することにより、前記締結具の内周壁における雌ねじの山または谷の径が部分的に縮小変形する縮径変形部を押圧成形する転造ダイスを備えた凹部成形手段と、から構成することを特徴とするねじ具の緩み止め締結具の製造装置。
【手続補正２】
【補正対象書類名】明細書
【補正対象項目名】０００２
【補正方法】変更
【補正の内容】
【０００２】
従来、ねじやボルト等のねじ具は、これをねじ込み固定する際に使用するナットやインサート等の締結具との組み合わせにおいて、締結具にねじ込み固定したねじ具が振動等の原因により緩みを生じたり、さらには脱落したりしてしまう場合がある。このような観点から、従来におけるねじ具と締結具との組み合わせにおいて、ねじ具や締結具に対してそれぞれ種々の緩み止め方法および手段が提案され実用化されている。
【手続補正３】
【補正対象書類名】明細書
【補正対象項目名】０００５
【補正方法】変更
【補正の内容】
【０００５】
しかしながら、先に提案されている種々の緩み止め手段においては、それぞれ製造に際して複雑な工程を追加する必要があり、量産化による製造コストの低減が困難である。また、今日のように小型化された各種製品の組み立てに使用されるねじ具や締結具は、益々微細化ないし精密化が要求されることから、この種のねじ具や締結具に従来から提案されている種々の緩み止め手段を適用することは、構造的に採用することが困難であるばかりでなく、製造するに際しても到底その実施が困難である。
【手続補正４】
【補正対象書類名】明細書
【補正対象項目名】００１６
【補正方法】変更
【補正の内容】
【００１６】
今日における電化製品を始めとする各種の工業生産品は、電子部品等の部品の微小化ないし微細化に伴いますます小型化される傾向にある。従って、これらの工業生産される各種の製品の組み立てに使用するねじ具や締結具についても、同様にそれらの寸法が微小化ないし微細化され、しかも精密加工されることが要求される。
このような観点から、前述した従来のねじ具ないし締結具の緩み止め手段において、締結具に対して、凹部や貫通孔を設けて弾性部材を装着するものでは、微小化ないし微細化され、しかも精密加工が必要とされる場合には、それらの製造が著しく困難であるばかりでなく、構造的にも極めて不具合である。
また、ねじ具に対して、ねじ部表面に弾性、摩擦、粘性、接着等の作用を有する樹脂等を塗布するものでは、その使用に際して摩擦により生じた樹脂等の粉塵が移動ないし飛散したり、樹脂等が劣化したりすることにより再使用ができない等の難点があるばかりでなく、前記と同様に微小化ないし微細化されたねじ具として、それらを精密加工により製造することも著しく困難である。
【手続補正５】
【補正対象書類名】明細書
【補正対象項目名】００２５
【補正方法】変更
【補正の内容】
【００２５】
前記の目的を達成するため、本発明の請求項１に記載のねじ具の緩み止め締結具は、ねじ具と締結を行うインサートまたはスペーサからなる締結具であって、前記締結具の外周壁の一部に所要幅でその周方向へ全面的または部分的に薄肉とする薄肉形成部を設けると共に、この薄肉形成部の少なくとも一部分に外部から押圧成形した凹部を設けて、前記締結具の内周壁における雌ねじの山または谷の径が部分的に縮小した縮径変形部を形成した構成からなることを特徴とする。
【手続補正６】
【補正対象書類名】明細書
【補正対象項目名】００２６
【補正方法】変更
【補正の内容】
【００２６】
本発明の請求項２に記載のねじ具の緩み止め締結具は、前記締結具の軸方向に変位させて、前記締結具の外周壁に複数の所要幅でその周方向へ全面的または部分的に薄肉とする薄肉形成部を設けると共に、これらの薄肉形成部の少なくとも一部分にそれぞれ押圧成形した複数の凹部を設けて、前記締結具の内周壁にそれぞれ複数の縮径変形部を形成してなることを特徴とする。
【手続補正７】
【補正対象書類名】明細書
【補正対象項目名】００２７
【補正方法】変更
【補正の内容】
【００２７】
本発明の請求項３に記載のねじ具の緩み止め締結具の製造方法は、ねじ具と締結を行うインサートまたはスペーサからなる締結具の外周壁の一部において、前記締結具の外部から外周壁の一部に対して、所要幅でその周方向へ全面的または部分的に薄肉とする薄肉形成部と、この薄肉形成部の少なくとも一部分に対し、前記締結具の内周壁における雌ねじの山または谷の径が部分的に縮小変形する凹部とを、それぞれ転造ダイスにより連続的に押圧成形して、前記締結具の内周壁における雌ねじの山または谷の径が部分的に縮小した縮径変形部を形成することを特徴とする。
【手続補正８】
【補正対象書類名】明細書
【補正対象項目名】００２８
【補正方法】変更
【補正の内容】
【００２８】
本発明の請求項４に記載のねじ具の緩み止め締結具の製造方法は、ねじ具と締結を行うインサートまたはスペーサからなる締結具の外周壁の一部において、前記締結具の外部から外周壁の一部に対して、所要幅でその周方向へ全面的または部分的に薄肉とする薄肉形成部を切削加工により成形し、この薄肉形成部の少なくとも一部分に対し、前記締結具の内周壁における雌ねじの山または谷の径が部分的に縮小変形するように、外部からポンチ等の押圧手段によって凹部を形成して、前記締結具の内周壁における雌ねじの山または谷の径が部分的に縮小した縮径変形部を形成することを特徴とする。
【手続補正９】
【補正対象書類名】明細書
【補正対象項目名】００２９
【補正方法】変更
【補正の内容】
【００２９】
本発明の請求項５に記載のねじ具の緩み止め締結具の製造装置は、ねじ具と締結を行うインサートまたはスペーサからなる締結具を連続的に製造する締結具製造装置と、前記締結具の外部から外周壁の一部に対して、所要幅でその周方向へ全面的または部分的に薄肉とする薄肉形成部を形成すると共に、この薄肉形成部の少なくとも一部分に押圧成形により凹部を形成することにより、前記締結具の内周壁における雌ねじの山または谷の径が部分的に縮小変形する縮径変形部を押圧成形する転造ダイスを備えた凹部成形手段と、から構成することを特徴とする。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
本発明に係る請求項１および２に記載のねじ具の緩み止め締結具によれば、比較的簡単な構造にして、製造が容易であり、量産化に伴う低コスト化が可能であって、特に小型化された各種製品の組み立てに使用するための精密加工による微小化ないし微細化されたねじ具の締結具として、ねじ具の緩み止め防止を容易かつ確実に達成することができる。
また、本発明に係るねじ具の緩み止め締結具は、ねじ具として通常のねじ具を使用することができると共に、ねじ具とのはめあいに際して、両者に損傷を与えることないため、ねじ具および締結具共に再使用が可能である。
【手続補正１５】
【補正対象書類名】明細書
【補正対象項目名】００３７
【補正方法】変更
【補正の内容】
【００３７】
本発明の請求項３ないし５に記載のねじ具の緩み止め締結具の製造方法および製造装置によれば、構造が簡単であるため、寸法の大きいものから微小化ないし微細化され精密加工されるものに至るまで、広範囲の種類に応じた締結具の製造が可能であり、例えば従来においてねじ等の製造に使用している転造ダイスを使用することにより、量産化による低コストの製造を容易に実現できる等、多くの優れた利点を有する。
【手続補正１６】
【補正対象書類名】明細書
【補正対象項目名】００３８
【補正方法】削除
【補正の内容】
【手続補正１７】
【補正対象書類名】明細書
【補正対象項目名】００４９
【補正方法】変更
【補正の内容】
【００４９】
このように構成される本実施例に係る締結具１０Ｂは、前記締結具１０Ｂの円筒状本体１２のほぼ中位部における外周壁の一部に、周方向へ一定の幅で薄肉とした薄肉形成部１９を設け、この薄肉形成部１９の少なくとも一部分に外部から押圧成形した凹部１９ａを設けて、前記締結具１０Ｂの内周壁における雌ねじ１６の山または谷の径を部分的に縮小させた縮径変形部２０を形成するように構成したことを特徴とする。すなわち、図９に示すように、締結具１０Ｂの内周壁における雌ねじ１６の山（谷も同じ）の径を、規定の半径ｒに対して縮径変形部２０の半径ｒ′を小さく（ｒ＞ｒ′）設定する。このように構成した締結具１０Ｂに対して、所要のねじ具３４を螺合させた場合、ねじ具３４の雄ねじが前記締結具１０Ｂの縮径変形部２０において所要の緊締力をもって圧締めされることになり、振動やその他の変動などによるねじ具３４の締結具１０Ｂに対する緩みや脱落を確実に防止することができる。
【手続補正１８】
【補正対象書類名】明細書
【補正対象項目名】００５０
【補正方法】変更
【補正の内容】
【００５０】
（締結具の製造方法）
図１０は、本実施例に係る締結具１０Ｂの製造方法の一実施例を示すものである。すなわち、前記構成からなる本実施例の締結具１０Ｂの製造に際しては、前記締結具１０Ｂの外部からその円筒状本体１２のほぼ中位部における外周壁の一部に対して、周方向へ一定の幅で薄肉とした前記薄肉形成部１９と前記凹部１９ａを成形するための押圧手段として、ねじ等の製造に一般的に使用されている転造ダイス４０を使用することができる。すなわち、図１０に示すように、転造ダイス４０の一方の移動ダイス４２に、前記薄肉形成部１９を成形するための突条部４６と、前記凹部１９ａを成形するための凸部４６ａとを設けることにより、従来のねじ等の製造と同様にして、締結具１０Ｂの外周壁の一部に対して前記薄肉形成部１９と前記凹部１９ａとを簡便に押圧成形することができる。
【手続補正１９】
【補正対象書類名】明細書
【補正対象項目名】００５４
【補正方法】変更
【補正の内容】
【００５４】
そして、本実施例に係る締結具１０Ｃにおいては、前記六角ナット本体１３のほぼ中位部における外周壁の一部に、外部から切削加工等により薄肉形成部２２を設け、この薄肉形成部２２の少なくとも一部分に外部からポンチ等４０により押圧成形した凹部２２ａを設けて、前記締結具１０Ｃの内周壁における雌ねじ１６の山または谷の径を部分的に縮小させた縮径変形部２０を形成した構成からなる。
【手続補正２０】
【補正対象書類名】明細書
【補正対象項目名】００５５
【補正方法】変更
【補正の内容】
【００５５】
（締結具の製造方法）
従って、このように構成される本実施例に係る締結具１０Ｃは、図１２（ａ）に示すように、六角ナット本体１３のほぼ中位部における外周壁の一側部に、所要幅からなる直線溝状の切削加工を行って薄肉形成部２２を成形し、このように形成した薄肉形成部２２の少なくとも一部分に外部からポンチ等４０により押圧成形することによって、前記凹部２２ａを成形することができる。
代案として、図１２（ｂ）に示すように、六角ナット本体１３のほぼ中位部における外周壁の一側中央部に、所要直径からなる円形状穴部の切削加工を行って薄肉形成部２２を成形し、このように形成した薄肉形成部２２の少なくとも一部分に外部からポンチ等４０により押圧成形することによって、前記凹部２２ａを成形することもできる。
【手続補正２１】
【補正対象書類名】明細書
【補正対象項目名】００６２
【補正方法】変更
【補正の内容】
【００６２】
１０Ａ、１０Ａ′  締結具（インサート）
１０Ｂ  締結具（厚肉型インサート）
１０Ｃ  締結具（六角ナット）
１２  円筒状本体
１３  六角ナット本体
１４  フランジ部
１６  雌ねじ
１８  凹部（押圧成形による）
１９  薄肉形成部（押圧成形による）
１９ａ  凹部
２０  縮径変形部
２０ａ、２０ｂ  縮径変形部
２２  薄肉形成部（切削加工による）
２２ａ  凹部
３０  被取付対象物
３２  取付基板
３４  ねじ具
３６  雄ねじ
４０  転造ダイス
４１  固定ダイス
４２  移動ダイス
４４  凸部
４４ａ、４４ｂ  凸部
４６  突条部
４６ａ  凸部
５０  材料供給手段
５１  締結具製造装置
５２  凹部成形手段（縮径変形部の成形）
５３  締結具製品
Ｓ  スペース